(57)【要約】【課題】製造された装置を測定する際、テスト時間を大幅に削減するスイッチング装置を提供する。【解決手段】本発明は、少なくとも１つの第１のテストポート（２２）又は１つの第２のテストポート（２３）から測定装置接続（２）への交互接続用スイッチング装置に関し、測定装置接続（２）が少なくとも１つのテスト信号入力端子（３）を備える。テスト信号入力端子（３）が第１の信号経路（７）と、第２の信号経路（８）に接続され、第１の信号経路（７）が第１のテストポート（２２）又は第２のテストポート（２３）の１つに交互に接続され、第２の信号経路（８）が少なくとも他方の各テストポート（２３、２２）に接続されるスイッチング装置を提供する。【選択図】  図１
2010521912.tif 000002
【特許請求の範囲】
【請求項１】
少なくとも、１つの第１のテストポート（２２）又は１つの第２のテストポート（２３）から測定装置接続（２）への交互接続用スイッチング装置であって、測定装置接続（２）が少なくとも１つのテスト信号入力端子（３）を備えるスイッチング装置において、
テスト信号入力端子（３）が第１の信号経路（７）と、第２の減衰した信号経路（８）に接続され、
第１の信号経路（７）が第１のテストポート（２２）又は第２のテストポート（２３）の１つに交互に接続され、
第２の信号経路（８）が少なくとも他方の各テストポート（２３、２２）に接続されるスイッチング装置。
【請求項２】
第２の信号経路（８）に減衰装置（２６．１、２６．２、２６．３）が設けられている請求項１に記載のスイッチング装置。
【請求項３】
第２の信号経路（８）が、分岐装置（２７）を備え、該分岐装置（２７）を通り、第２の信号経路（８）が第１の信号分岐（４０）を経由し、又は、第２の信号分岐（４１）を経由して第１及び／又は第２のテストポート（２２、２３）に接続されている請求項１から２のいずれかに記載のスイッチング装置。
【請求項４】
分岐装置（２７）が分配器である請求項３に記載のスイッチング装置。
【請求項５】
分岐装置（２７）がスイッチング素子を備えている請求項３に記載のスイッチング装置。
【請求項６】
分岐装置（２７）が第１の信号分岐（７）を経由して第１のテストポート（２２）に、かつ、第２の信号分岐（４１）を経由して第２のテストポート（２３）に接続されており、第１及び第２の信号分岐（４０、４１）の各信号分岐に、１つのスイッチング素子（３１、３２）がそれぞれ備えられており、該スイッチング素子を通って第１のテストポート（２２）又は第２のテストポート（２３）の各テストポートを１つの終端抵抗器（３４、３７）にそれぞれ接続可能である請求項３に記載のスイッチング装置。
【請求項７】
減衰装置（２６．１、２６．２、２６．３）が第２の信号経路（８）の共有部分において配置された１つの減衰素子（２６．１）と、各信号分岐（４０、４１）において配置された更なる減衰素子（２６．２、２６．３）を備える請求項３から４のいずれかに記載のスイッチング装置。
【請求項８】
第１のテストポート（２２）及び第２のテストポート（２３）が測定装置接続（２）の測定済み信号出力端子（４）に交互に接続可能である請求項１から７のいずれかに記載のスイッチング装置。
【請求項９】
第１のテストポート（２２）からテスト信号入力端子（３）への、又は、第２のテストポート（２３）から測定済み信号出力端子（４）への各交互接続のために、スイッチ（９、１７）が備えられている請求項８に記載のスイッチング装置。
【発明の詳細な説明】
【技術分野】
【０００１】
本発明は、第１又は第２のテストポートから測定装置への交互接続用スイッチング装置に関する。
【背景技術】
【０００２】
携帯電話装置の製造において、通常、製造した携帯電話装置の機能についてテストを行う。そのため、製造された携帯電話装置は、ベースステーションをエミュレートする測定装置に接続される。この測定装置に接続後、先ず携帯電話装置を測定装置の時間走査線（タイム・ラスタ）に同期させて、接続を設定する。この接続を行った上で実際のテスト手順を実行することができる。この種のテスト手順は、特許文献１に記載されている。測定装置とテスト対象の携帯電話装置とを接続する間、測定装置からテスト対象の携帯電話装置へとテスト信号を転送し、その携帯電話装置から送り戻された信号を評価する。
【０００３】
一般に、測定装置は、双方向の接続を含み、その接続上でテスト信号が出力され、測定済みの信号、即ち、携帯電話装置から戻ってくる信号もその接続上で読み込まれる。携帯電話装置の製造においては、製造された全ての装置が、その機能について、又は、各々の関連する仕様が達成されているかどうかについてテストされる。したがって、測定装置のテストポートに接続する必要のある個々の装置の取替えにかなりの時間が費やされる。そこで、少なくとも携帯電話装置との接触に要する時間を節約するため、スイッチング装置を使用することが既に知られている。このスイッチング装置には、第１及び第２のテストポートが設けられている。これら２つのテストポートは、同一様式に構成されており、同時に各テストポートが１つの携帯電話装置に接続することができる。このスイッチング装置は、スイッチング手段を含み、このスイッチング手段で、これら２つのテストポートの各ポートがそれぞれ測定装置の双方向測定装置接続への接続が可能となる。このような方法で、一方の携帯電話装置の測定を行いながら、新たなテスト対象の携帯電話装置を接触させることができる。この測定を終えた後、測定を終えたばかりの携帯電話装置を分離させることなくこのスイッチング装置を起動させる。したがって、第２の携帯電話装置の測定を行いながら、もう一方のテストポートで装置の取替えを行うことができる。
【０００４】
このような種類の公知のテスト・ステーションの欠点は、単一のスイッチング装置が起動されて初めてこれからテストを始めようとする携帯電話装置と測定装置との同期処理が実行されるという点であり、これは、そのスイッチング装置のスイッチ位置によって、これら２つのテストポートのうちの１つのポートが測定装置から完全にデカップルされるからである。
【先行技術文献】
【特許文献】
【０００５】
【特許文献１】独国特許出願公開第１０３２４７４５号明細書
【発明の概要】
【発明が解決しようとする課題】
【０００６】
本発明の目的は、全テスト時間を更に短縮させることができるスイッチング装置を提供することである。
【課題を解決するための手段】
【０００７】
この目的は、請求項１に記載の特徴を有する本発明のスイッチング装置により達成される。
【０００８】
本発明のスイッチング装置は、少なくとも第１及び第２のテストポートを備えており、これらのテストポートのそれぞれは、テスト対象となる１つの装置、特に、携帯電話装置に接続するために設けられている。更に、このスイッチング装置には、測定装置にこのスイッチング装置を接続するための測定装置接続が設けられている。この測定装置接続は、少なくとも１つのテスト信号入力端子を含む。本発明によれば、このテスト信号入力端子が第１の信号経路及び第２の減衰信号経路に接続される。第１の信号経路は、第１のテストポート、第２のテストポート又は更なるテストポートへと交互に接続される。第２の信号経路は、接続されたテストポート以外の少なくとも１つのテストポートへ接続される。
【０００９】
このように、測定の実行中に、直接テストを受けている携帯電話装置にテスト信号が供給されるだけでなく、それ以外のそれぞれの接続にもそのテスト信号がすでに供給されているが、減衰された信号強度で供給されている。測定装置によって生成されるテスト信号のクロストークであって、それぞれの他方のテストポートをターゲットとするテスト信号のクロストークにより、すでに他方のテストポートに接続されている携帯電話装置は、その測定装置と同期をとることができる。第１の信号経路へ接続されたテストポートに繋がれた携帯電話装置の実際の測定が終了した時、第１の信号経路が他方のテストポートへ接続される。そのため、この他方のテストポートへ接続された携帯電話装置のテストをこれから行うことができる。同時に、他方のテストポート、例えば、第２のテストポートに接続されている携帯電話装置の測定時に、第１のテストポートにおいて装置の取替えを行うことができる。第２のテストポートでの測定時に、第２の信号経路を経由した第１のテストポートへのテスト信号のクロストークが起こるので、新たに接合、接続させた携帯電話装置の同期が、ここで同時に再び行うことができる。第２のテストポートに接続されている携帯電話装置の測定が終了すると、前記スイッチング装置が再び起動され、第１の信号経路が再び第１のテストポートへ接続される。
【００１０】
このように、全時間、つまり、１台の携帯電話装置の測定の完了から、次の携帯電話装置の測定の完了までにかかる時間が大幅に削減できる。このテストの全時間において、同期化にかなりの時間がとられる。それぞれ別のテストポートでの測定又は接続設定を実行すると同時に、この同期を本発明のスイッチング装置を用いて行うことができるので、テストにかかる全体的時間が大幅に削減される。
【００１１】
本発明のスイッチング装置の有利な、更なる進展については、従属請求項に規定されている。
【００１２】
特に、第２の信号経路において、減衰装置を設けていることが有利な点である。この減衰装置は、第１の信号経路と第２の信号経路間のデカップリングを達成し、これにより、妨害されずに実際の測定を行うことができる。
【００１３】
第２の信号経路は、分岐装置を備えていることが好ましい。第２の信号経路は、この分岐装置で第１の信号分岐と第２の信号分岐に分割され、これら第１及び第２の分岐は、第１及び第２のテストポートにそれぞれ接続される。この分岐装置により、第１のテストポートにおける携帯電話装置の取替え時、第２のテストポートにおける携帯電話装置の取替え時、また、上記いずれのテストポートにおける測定時にも、他の各テストポートで同期が確実に行えるようになる。したがって、携帯電話装置のテストの際に継続的な製造手続きが達成できる。
【００１４】
最も簡単な場合において、前記分岐装置は分配器として設計できる。第１の信号経路と第２の信号経路間で、十分なデカップリングが達成されれば、このような分配器の形での分岐装置が可能である。この場合、第２の信号経路を経由して両テストポートに供給された減衰された信号は、第１の信号経路を経由して２つのテストポートの内の１つのテストポートで並行して行われる測定に対し、妨害信号になることはない。
【００１５】
完全な分離を達成するために、特に、この分岐装置をスイッチング素子として設計することが有利である。このスイッチング素子を設けることで、第１及び第２のテストポートにそれぞれ接続された第１の信号分岐と第２の信号分岐との間の切り替えが可能となる。このように、第２の信号経路を経て供給されたテスト信号は、その時点で第１の経路に接続されていないテストポートにのみ供給される。
【００１６】
このため、前記分岐装置は、特に、第１の信号分岐を経由して第１のテストポートに、そして第２の信号分岐を経由して第２のテストポートに接続されており、前記２つの信号分岐の各信号分岐において、更なるスイッチング素子が設けられていることが好ましい。これらの各スイッチング素子により、第１のテストポート又は第２のテストポートの各テストポートが前記分岐装置又は終端抵抗器に接続可能となる。この更なるスイッチング素子を経由して第１又は第２のテストポートの各テストポートを終端抵抗器に接続することによって、確実に、開放されている信号分岐を経由した測定による影響が発生しなくなる。
【００１７】
前記減衰装置は、第２の信号経路において１つの減衰素子を有し、また、全ての信号分岐において更なる減衰素子を有することが好ましい。デカップリングは、分散して配列されたこれらの減衰素子により達成されるため、潜在的に存在するスイッチや終端抵抗器による影響は低減される。
【００１８】
第１及び第２のテストポートは、測定装置の接続の測定済み信号出力端子へ交互に接続できることが好ましい。その結果、供給されたテスト信号が第１又は第２のテストポートへターゲットを絞ったやり方で接続できるだけでなく、携帯電話装置から反対方向に送出された測定済み信号もターゲットを絞ったやり方でその測定装置に供給される。そのため、測定済み信号による相互の影響や、特に、信号品質の低下は、排除される。
【００１９】
第１のテストポート又は第２のテストポートの各テストポートを、テスト信号入力端子又はテスト信号出力端子にそれぞれ交互に接続したどちらの場合も、スイッチが配備されていることが好ましい。特に、これらの２つのスイッチを互いに接続させることで、送信されたテスト信号に対するテストポートと、これから受け取られる測定済み信号に対するテストポートの２つの両テストポート間で同時に切り替えが可能となる。
【図面の簡単な説明】
【００２０】
本発明のスイッチング装置の好ましい実施形態の一例を図面において示し、以下にその詳細を説明する。図面は、以下のとおりである。
【図１】本発明のスイッチング装置の概略を示す。
【図２】複数の携帯電話装置の測定を行う際のテスト・スケジュールを説明するために示す。
【発明を実施するための形態】
【００２１】
図１は、本発明のスイッチング装置１の回線構成図である。本発明のスイッチング装置１は、測定装置接続２を介して測定装置に接続可能である。この状況において、測定装置接続２は、テスト信号入力端子３と、測定済み信号出力端子４を有する。不図示の測定装置により生成されたテスト信号は、テスト信号入力端子３を経由して供給される。この供給されたテスト信号は、スイッチング装置１を介して２台の携帯電話装置の所定の１台へと出力される。例えば前記携帯電話装置によって処理されたテスト信号、又は個別の応答信号は、測定済み信号として、測定済み信号出力端子４を経由して、接続された測定装置へと送り戻され、そこでその測定済み信号が解析される。
【００２２】
テスト信号入力端子３を介して前記テスト対象の携帯電話装置へと供給されるテスト信号は、テスト信号入力線５を経由して信号分割器６へ供給される。この信号分割器６は前記テスト信号を分割する。この分割されたテスト信号の第１の信号成分は、第１の信号経路７を通って前記テスト対象の携帯電話装置へと転送される。第２の信号成分は、第２の携帯電話装置の同期のために第２の信号経路８を通って転送される。この状況において、前記信号分割器６は、減衰手段を備えることができ、この減衰手段により、第２の信号成分を、例えば、６ｄＢ減衰させる。一方、第１の信号成分は、減衰されずに測定対象の携帯電話装置へと転送される。以下に説明するように、信号分割器６において、この減衰手段を一体化させずに、第２の信号経路８の領域において前記減衰を行うこともできる。
【００２３】
信号経路７には、第１のスイッチ９が設けられている。第１のスイッチ９を設けることで、第１の信号経路を第１の高周波接続装置１４又は第２の高周波接続装置１５に供給できる。そのため、第１のスイッチ９は、第１のテスト信号出力端子１０と第２のテスト信号出力端子１１を備える。第１のテスト信号出力端子１０は、第１の高周波接続装置１４に接続される。一方、第２のテスト信号出力端子１１は、第２の高周波接続装置１５に接続される。更に、第１のスイッチ９は、前記信号分割器６に取り外しができないように接続されているテスト信号接続端子１２を有する。第１のスイッチ９は、このテスト信号接続１２と、第１のテスト信号出力端子１０又は第２のテスト信号出力端子１１との間の接続を交互に切り替えることができる。第１の高周波接続装置１４は、第１のテストポート２２に接続される。それに対し、第２の高周波接続装置１５は、第２のテストポート２３に接続される。各テストポート２２、２３は、携帯電話装置２４、２５にそれぞれ接続可能である。
【００２４】
第１の携帯電話装置２４が第１のテストポート２２で接続され、第２の携帯電話装置２５が第２のテストポート２３で接続されているので、第１のスイッチ９によって、これら２台の携帯電話装置２４、２５のどちらに第１のテスト信号を減衰されていない信号強度で供給したらよいかを選択することができる。その後、第１のスイッチ９を経由して前記信号分割器６に接続している第１又は第２のテストポートで測定を行うことができる。そして、テスト信号は、携帯電話装置によって処理される。仕様に対応する携帯電話装置が応答信号を出力する。この応答信号も第１のテストポート又は第２のテストポートを経由して第１又は第２の高周波接続装置１４、１５のそれぞれに供給して戻される。第１の高周波接続装置１４及び第２の高周波接続装置１５は、第２のスイッチ１７を介して前記測定済み信号出力端子４に接続される。
【００２５】
第２のスイッチ１７は、第１の測定済み信号入力接続端子１８を備えており、これは第１の高周波接続装置１４に接続されている。更に、第２のスイッチ１７は、第２の測定済み信号入力接続端子１９を備え、これは第２の高周波接続装置１５に接続されている。第１の高周波接続装置１４又は第２の高周波接続装置１５を介して第１の携帯電話装置２４又は第２の携帯電話装置２５の各携帯電話装置から第２のスイッチ１７へと供給される測定済み信号の転送については、第２のスイッチ１７内を通って、第１の測定済み信号入力接続１８又は第２の測定済み信号入力接続１９と、第２のスイッチ１７の出力端子２０の間で接続を生成して転送する。この第２のスイッチ１７の出力端子２０は、測定済み信号線１６を通ってスイッチング装置１の測定済み信号出力端子４へと接続されている。
【００２６】
第１のスイッチ９及び第２のスイッチ１７を同時に起動することにより、第１のテストポート２２及び第２のテストポート２３における測定の切り替えが可能になる。その結果、第１の携帯電話装置２４と第２の携帯電話装置２５が同時に連絡できるようになり、ここで、携帯電話装置２４及び２５のいずれか１台によってのみ測定装置接続２への接続が行われる。
【００２７】
ＧＳＭ標準に従って携帯電話装置の測定を行う場合、本発明のスイッチング装置は、その測定に好適に提供されるが、その携帯電話装置と、測定装置によってエミュレートされたベースステーションとの同期を先ず行った上で、実際の測定を行う必要がある。そのため、ＢＣＣＨ（ブロードキャスト・コントロール・チャネル）信号を前記測定装置から送信する必要がある。この信号は、連絡可能な全ての携帯電話装置によって評価され、前記測定装置とこれらの携帯電話装置を同期させることができる。この同期を行って初めて、携帯電話装置と、ベースステーション又は対応する測定装置との間で個々の接続が設定できる。前記測定装置と携帯電話装置との接続が設定された後、個々のテスト手順が、本明細書に説明されているとおり実行できる。
【００２８】
本発明によれば、第２の信号経路８が設けられており、この経路上でも、前記テスト信号が減衰した信号強度で、前記第１の信号経路７には接続されていないテストポート２２又は２３に送信される。例えば、第１のスイッチ９を図１に示す位置に組み込むと、第１の携帯電話装置２４で測定が可能となる。テスト信号入力端子３で供給されたテスト信号の第２のテストポート２３へターゲットを当てたクロストークは、第２の信号経路８を経由して可能となる。ここで、第２の携帯電話装置２５の同期を先に行うことができる。したがって、第１の携帯電話装置２４の測定終了後に、第１のスイッチ９を起動させることにより、接続されている測定装置に対し、既に同期が取られている第２の携帯電話装置２５を直接通して接続設定を行うことができる。そのため、第２の携帯電話装置２５のＢＣＣＨ信号に対する、即ち、前記測定装置のテスト信号に対する同期に要する追加の時間は不要となる。
【００２９】
好ましい１つの実施形態においては、減衰したテスト信号が測定を実行するための測定装置を通して先に供給できるので、第２の信号経路８へ供給された信号成分の減衰は、調整可能である。その結果、既に減衰された状態でテスト信号が供給されていても、同期には十分である第２の信号成分の信号強度も、例えば、前記信号分割器６において、より小さい減衰で達成することができる。
【００３０】
第２の信号経路８は、分岐装置２７で第１の信号分岐４０と第２の信号分岐４１に分岐する。最も簡単な例においては、前記分岐装置２７は分配器として設計できるが、これは、第１の信号経路７及び第２の信号経路８における信号成分が十分にデカップルされていることを前提とする。図示した実施形態において、分岐装置２７は、全部で３つの接続２８、２９及び３０を有するスイッチとして設計されている。
【００３１】
テスト信号入力端子３が第１の信号経路７を経由して第１のテストポート２２へ接続されている上述の例示した実施形態において、図１に示した位置に前記スイッチが配置されており、この位置において、前記接続端子３０及び２９が互いに接続されている。その結果、信号分割器６を通って第２の信号経路８に分岐された第２の信号成分は、第２の信号分岐４１へと供給される。前記分岐装置２７のスイッチの接続端子２９へ繋がれるスイッチング素子３２は、第２の信号分岐４１において配置される。このスイッチング素子３２は、その構成要素として３つの接続端子３５、３６及び３９を備えている。スイッチング素子３２の接続端子３９を第２の高周波接続装置１５に接続させると同時に、スイッチング素子３２の接続端子３５が分岐装置２７のスイッチの接続端子２９へと接続される。
【００３２】
そのため、図示した前記スイッチング素子３２のスイッチ位置において、第２の信号成分は、信号分割器と分岐装置２７間にある第２の信号経路８の共有部分及び第２の高周波接続装置１５の第２の信号分岐４１を経由して供給される。結果的に、第２の信号成分は、その信号ルート上で減衰装置により減衰される。
【００３３】
図示した例示の実施形態において、前記減衰装置は、３つの減衰素子２６．１、２６．２及び２６．３を含む。この状況において、２つの減衰素子２６．１及び２６．３は、第２のテスト信号成分の信号ルート上に配置されている。第１の減衰素子２６．１を第２の信号経路８の共有部分に配置させると同時に、第２及び第３の減衰素子２６．２、２６．３を第１の信号分岐４０と第２の信号分岐４１にそれぞれ配置させる。これらの減衰素子２６．２及び２６．３は、第２の信号分岐４１におけるスイッチング素子３２と、対応する第１の高周波接続装置１４との間、又は、第１の信号分岐４０における更なるスイッチング素子３１と、対応する第１の高周波接続装置１４又は第２の高周波接続装置１５との間に、それぞれ配置されることが好ましい。前記分岐装置２７からの信号分割器６のデカップリングは、第１の減衰素子２６．１により達成される。第２又は第３の各減衰素子２６．２、２６．３は、第１の高周波接続装置１４と前記更なるスイッチング素子３１とを、又は、第２の高周波接続装置１５と前記スイッチング素子３２とをそれぞれデカップルさせる。分岐装置２７として単純な分配器を用いているので、前記スイッチング素子３１と３２を整合させ、十分なデカップリングを確保する必要がある。
【００３４】
測定結果に影響を及ぼすことなく第２の信号分岐４１を切断するために、スイッチング素子３２の接続端子３６に終端抵抗器３７が設けられている。したがって、前記スイッチング素子３２を起動させることにより接続端子３９と３６との間で接続が可能となる。そのため、第２の信号分岐４１は、第２の信号経路８の共有部分から完全にデカップルされることになる。
【００３５】
前記減衰装置は、テスト信号の減衰した信号成分をデカップリングさせるために配置され、これにより測定は影響されずに進められる。この状況下において、減衰素子２６．２及び２６．３により、スイッチング素子３１及び３２の各スイッチ位置は測定に影響されないままにある。
【００３６】
第１の信号分岐４０は、第２の信号分岐４１に対応するように構成されている。第１の信号分岐４０においても、減衰素子２６．２が設けられており、これは、更なるスイッチング素子３１と第１の高周波接続装置１４との間に配置されている。更なるスイッチング素子３１も、３つの接続端子３２、３３及び３８を備え、終端抵抗器３４が接続端子３３に設けられている。
【００３７】
第１のスイッチ９と第２のスイッチ１７は互いに連結されていることが好ましく、そうすることで、前記スイッチング装置１の起動時に、第１のスイッチ９と第２のスイッチ１７は同時にそれぞれ異なる位置に置かれる。また、図示した例示の実施形態において、分岐装置２７は、スイッチを備えていることが好ましく、そうすることで、いずれの場合も、第１の信号経路７を経由して信号分割器６に接続されていない方の２２又は２３のテストポートのみに減衰したテスト信号が供給されることになる。ただし、１つの分配器のみ使用することも考えられる。この場合、第１のスイッチを介して信号分割器６に接続されていないテストポートが減衰されたテスト信号を受け取るだけでなく、逆に、第１の高周波接続装置１４への方向、及び、第２の高周波接続装置１５への方向の両方向にその減衰したテスト信号が供給される。ただし、これはスイッチング素子３２と、更なるスイッチング素子３１の整合が必要となる。そのため、２つのスイッチング素子３１、３２のうちいずれか１つを第１のテストポート２２又は第２のテストポート２３のいずれかに接続させた場合、他方のスイッチング素子３２又は３１のスイッチは切断されるのが好ましい。スイッチを切断させた３１又は３２のスイッチング素子は、それぞれ前記分岐装置２７に対して、整合済みの終端抵抗、例えば、５０オームの抵抗を示す。
【００３８】
送信されたテスト信号と受け取られた測定済みの信号の間の連結又は分離は、それぞれ、第１の高周波接続装置１４又は第２の高周波接続装置１５において行われる。したがって、第１のテストポート２２と第２のテストポート２３は、それぞれ第１の携帯電話装置２４、第２の携帯電話装置の各携帯電話装置との双方向インターフェースとして形成することができる。
【００３９】
図２は、単一の測定装置接続で、数台の携帯電話装置の測定を行う際のテスト・スケジュールの概要を描写したものである。図２において、Ｉは前記第１のテストポートを表し、ＩＩは前記第２のテストポートを表す。先ず、第１の携帯電話装置が最初に第１のテストポート２２に接続される。その接合５０の後、第１の携帯電話装置は、テスト信号を受け取る。それに従って、第１のスイッチ９と第２のスイッチ１７が図１に示す位置に配置される。このテスト信号は、減衰されていない状態で第１の携帯装置に供給され、その内部に収められているＢＣＣＨ信号に対し、同期５１を行う。第１の携帯電話装置と測定装置間でこの同期をとる間でも、第２の携帯電話装置２５は第２のテストポート２３に接続可能である。第２のテストポート２３における接合５３は、時間線５２の下方に図示されている。前記分岐装置２７は、第２テストポート２３におけるテスト信号入力端子に対し、供給されたテスト信号のクロストークを可能にする。これにより、第２の携帯電話装置の接合５３の後、第２のテストポート２３で第２の携帯電話装置２５の同期５４が行われる。
【００４０】
第１のテストポート２２における第１の携帯電話装置の同期５１が完了した後、前記測定装置と第１の携帯電話装置２４との間で接続設定５５が行われる。この接続設定５５が完了した後、その仕様に従って第１の携帯電話装置２４上でパラメータの測定５６が行われる。
【００４１】
第２の携帯電話装置２５の接合５３が完了した後、第２のテストポート２３において、クロストークテスト信号又は第２の信号成分に含まれるＢＣＣＨ信号に基づいて同期５４が行われる。この同期５４の完了後、第２の携帯電話装置２５は、接続設定のための準備ができている。第１のテストポート２２での測定がまだ終了していないので、全てのスイッチは、図１に示す位置のままにある。第１のテストポート２２における測定５６の終了後、前記スイッチング装置１が起動するので、測定５６が終了したことを自動確認することは、このために有利である。第１の携帯電話装置２４がオペレータにより、例えば、アダプタから取り外され、第１のテストポート２２から分離（５７）される。しかし、この分離が完了する前に、少なくとも第１のスイッチ９及び第２のスイッチ１７は、それぞれ別の位置へ持ち込まれる。したがって、減衰されていないテスト信号は、第１信号経路７を経由して第２テストポート２３へ転送される。その結果、第２の携帯電話装置２５と前記測定装置接続２との間で接続設定５８が実行される。接続設定５８が終了した後、第１の携帯電話装置２４についての先行の測定５６に対応して、第２の携帯電話装置２５についての測定５９が行われる。
【００４２】
第１の携帯電話装置２４が第１のテストポート２２から切り離された（５７）後、新たな携帯電話装置がアダプタへと挿入されて、第１のテストポート２２と、この携帯電話装置間で接合６０を行う。その間、前記分岐装置２７も別の位置に持ち込まれているため、減衰した信号は、第２の信号経路８と第１の信号分岐４０を経由して第２のテストポート２２へ転送される。その結果、第２のテストポートに接続されている第３の携帯電話装置の同期（６１）をとることができる。第３の携帯電話装置の同期（６１）が終了した後、第３の携帯電話装置も待機状態に移る。第２テストポート２３へ接続されている第２の携帯電話装置２５についての測定５９が終了すると、第１のスイッチ９、第２のスイッチ２２が起動され、それに合わせて、第１のテストポート２２に接続されている第３の携帯電話装置との接続設定６２が可能となる。
【００４３】
本発明のスイッチング装置１は、測定の際に、２つのテストポート２２、２３のうち、１つのテストポートのみに減衰されていない状態で送信されるテスト信号が、他方のテストポート２３、２２の各テストポートに向けて、減衰された状態で供給される点で有利である。他方のテストポートにおける測定が完了する前でも、テストポートに接続された携帯電話装置は、既に同期をとっていることができる。これにより、前述した公知の方法と対比して、他方のポートで測定を行うと同時に同期を実行することができるので、かなりの時間の節約が達成される。
【産業上の利用可能性】
【００４４】
図示のスイッチング装置１は、特に、ＧＳＭ携帯電話機の操作に好適である。この状況において、いわゆる、ＢＣＣＨ信号が用いられ、その後、測定装置による測定の場合、エミュレートされる各々のベースステーションと複数の携帯電話装置との同期がとられる。また、スイッチング装置１は、例えば、第三世代の携帯電話機の分野においても有利に使用できる。この場合、同期は、最初にＧＳＭ方式で実行され、その後、例えば、その接続設定が終了した後、ＷＣＤＭＡに引き継がれる。この後、ＣＤＭＡ（コード・ディビジョン・マルチプル・アクセス）パラメータが測定可能となる。
【００４５】
以上において、本発明を、２つのテストポート２２、２３のみを有するスイッチング装置１の一例を参照して説明してきたが、もちろん３つ以上のテストポートへの拡張も考えられる。
【００４６】
本発明は、上記例として挙げた実施形態になんら限定されるものではなく、互いの特徴を個々に組み合わせたものも可能である。
【符号の説明】
【００４７】
１      スイッチング装置
２      測定装置接続
３      テスト信号入力端子
４      測定済み信号出力端子
５      テスト信号入力線
６      信号分割器
７      第１の信号経路
８      第２の信号経路
９      第１のスイッチ
１０    第１のテスト信号出力端子
１１    第２のテスト信号出力端子
１２    テスト信号接続端子
１４    第１の高周波接続装置
１５    第２の高周波接続装置
１６    測定済み信号線
１７    第２のスイッチ
１８    第１の測定済み信号入力接続端子
１９    第２の測定済み信号入力接続端子
２０    出力端子
２２    第１のテストポート
２３    第２のテストポート
２４    第１の携帯電話装置
２５    第２の携帯電話装置
２６．１  第１の減衰素子
２６．２  第２の減衰素子
２６．３  第３の減衰素子
２７    分岐装置
２８，２９，３０，３３，３５，３６，３８，３９    接続端子
３１，３２    スイッチング素子
３４，３７    終端抵抗器
４０    第１の信号分岐
４１    第２の信号分岐
５０，５３，６０    接合
５１，５４，６１    同期
５２    時間線
５５，５８，６２    接続設定
５６，５９    テスト
５７    分離
【図２】
2010521912.tif 000003
【図１】
2010521912.tif 000004
【国際調査報告】
2010521912.tif 000005
2010521912.tif 000006
2010521912.tif 000007
2010521912.tif 000008